(57)【特許請求の範囲】
【請求項１】
液体中に浸漬されるようになっている容器（６）を含んでおり、
底部（７）と、
前記容器（６）が前記液体中に浸漬されたときに実質的に鉛直に延びる中心軸（ｘ）を有し、下側の端部で前記底部（７）に連結されており、前記中心軸（ｘ）に沿って長さが可変である壁部材（８）と、
前記壁部材（８）の上側の端部に連結された分離部材（９）であって、前記容器（６）内に形成された空間（１０）に連通する開口と、液体を自由液面を有する表面層から分離している間、この液面の少なくとも下方にこの液面に隣接して位置し、かつ前記表面層からの液体をオーバーフロー部（１１）から溢れさせて前記開口を通して、ある体積の分離された液体が収集される前記空間（１０）内に流し込むように構成されているオーバーフロー部（１１）とを有している、分離部材（９）と、を有し、
前記空間（１０）の、分離中に液体が満たされる部分から延び、液体を前記空間（１０）から排出するように構成された排出導管（４）と、
前記分離部材（９）に連結され、前記容器（６）の外側に位置する液体上に浮き、前記分離部材（９）に対して前記壁部材（８）を伸ばす方向に持ち上げ力をかけるように構成された浮き部材（１５）と、をさらに含んでいる、液体の表面層を分離する装置において、
該装置は、前記空間（１０）内に設けられ、前記分離部材（９）に連結され、前記オーバーフロー部（１１）から下に一定の鉛直距離だけ離れて位置する浸漬部材（１６）をさらに有しており、該浸漬部材（１６）は、上向きに開口しており、前記液体の一部を受け入れるように構成された第１のポケット（１８）を含んでおり、該浸漬部材（１６）は、一定の質量を有し、前記分離部材（９）を、前記オーバーフロー部（１１）が前記自由液面よりも下に位置するようになる程度に、前記浮き部材（１５）からの持ち上げ力の作用に対抗して前記容器（６）を取り囲む前記液体内に押し下げることができるようなオーダーの力である下向きの力を前記分離部材（９）にかけるように構成されており、さらに前記浸漬部材（１６）は、前記浸漬部材（１６）と前記分離部材（９）が、前記空間（１０）が前記浸漬部材（１６）の一部が液体中に位置するような量の液体で満たされたときに前記浸漬部材（１６）の最も低い点よりも上に位置する前記液体から前記浸漬部材（１６）に作用する前記液体の圧力による持ち上げ方向の力の影響を受けるように構成されていることを特徴とする、液体の表面層を分離する装置。
【請求項２】
前記排出導管（４）は、前記底部（７）に連結され、前記底部（７）の近くに前記液体排出用の入口（１２）を有していることを特徴とする、請求項１に記載の装置。
【請求項３】
前記容器（６）は、前記液体が存在するタンク（１）内に設けられるようになっており、前記底部（７）および／または前記排出導管（４）は、一定の深さのところで前記タンク（１）に連結されていることを特徴とする、請求項１または２に記載の装置。
【請求項４】
前記浸漬部材（１６）は、下から前記中心軸（ｘ）に沿って大きくなる半径方向断面積を有していることを特徴とする、請求項１から３のいずれか１項に記載の装置。
【請求項５】
前記浸漬部材（１６）は実質的に一定の質量を有していることを特徴とする、請求項１から４のいずれか１項に記載の装置。
【請求項６】
前記容器（６）は、前記液体の前記一部が前記第１のポケット（１８）に流入できるようにする通路（２０）を含んでいることを特徴とする、請求項１に記載の装置。
【請求項７】
前記分離部材（９）は、部材（１７）によって形成され、前記中心軸（ｘ）の周りを延びていることを特徴とする、請求項１から６のいずれか１項に記載の装置。
【請求項８】
前記容器（６）が、前記液体の前記一部が前記第１のポケット（１８）に流入できるようにする通路（２０）を含んでおり、前記通路（２０）は、前記部材（１７）を通る少なくとも１つの穴を含んでいることを特徴とする、請求項７に記載の装置。
【請求項９】
前記浮き部材（１５）は実質的に一定の質量を有する浮体を含んでいることを特徴とする、請求項１から８のいずれか１項に記載の装置。
【請求項１０】
前記浮き部材（１５）は、下向きに開口し、前記容器（６）が前記液体中に浸漬されたときに気体用の密閉された空間を形成するように構成された第２のポケット（１９）を含んでいることを特徴とする、請求項１から８のいずれか１項に記載の装置。
【請求項１１】
前記分離部材（９）は、部材（１７）によって形成され、前記中心軸（ｘ）の周りを延びており、前記部材（１７）は前記第２のポケット（１９）を形成するために曲がった形状になっていることを特徴とする、請求項１０に記載の装置。
【請求項１２】
前記浸漬部材（１６）は、少なくとも一部が前記中心軸（ｘ）に対して前記浮き部材（１５）よりも軸方向下側に設けられている、請求項１から１１のいずれか１項に記載の装置。
【請求項１３】
前記浸漬部材（１６）は、少なくとも一部が前記中心軸（ｘ）に対して前記浮き部材（１５）の半径方向内側に設けられている、請求項１から１２のいずれか１項に記載の装置。
【請求項１４】
前記容器（６）は、前記中心軸（ｘ）に対して外側に延びるフランジ状の部材（２２）を含んでおり、該フランジ状の部材（２２）の内側の部分が前記浸漬部材（１６）の下側部分に連結され、前記壁部材（８）は前記フランジ状の部材（２２）の外側の部分に連結されていることを特徴とする、請求項１から１３のいずれか１項に記載の装置。
【請求項１５】
空間を形成する容器（６）によって液体の表面層を分離する方法であって、該容器（６）は、底部（７）と、中心軸（ｘ）に沿って長さが可変であり、壁部材（８）の下側の端部で前記底部（７）に連結された壁部材（８）と、前記壁部材（８）の上側の端部に連結され、開口とオーバーフロー部（１１）を有している分離部材（９）と、を含んでおり、前記分離部材（９）に浮き部材（１５）と浸漬部材（１６）とが連結されており、前記浸漬部材は、前記空間内に設けられ、前記中心軸（ｘ）に沿って前記オーバーフロー部（１１）から一定の距離に位置しており、該浸漬部材（１６）は、上向きに開口しており、前記液体の一部を受け入れるように構成された第１のポケット（１８）を含んでいる、液体の表面層を分離する方法であって、
前記中央軸（ｘ）が実質的に鉛直に延びるように前記容器（６）を前記液体中に浸漬するステップと、
前記容器（６）の外側に位置する前記液体上に浮き、前記分離部材（９）に対して前記壁部材（８）を伸ばす方向に持ち上げ力をかける前記浮き部材（１５）によって、前記容器を前記液体中に浮かせ続けるステップと、
前記分離部材（９）を、前記浮き部材（１５）からの持ち上げ力の作用に対抗して、前記オーバーフロー部（１１）が前記表面層の自由液面よりも下に位置するようになる程度に、前記容器（６）を取り囲む液体中に押し下げることができるようなオーダーの下向きの力を前記分離部材にかける前記浸漬部材（１６）によって、前記容器（６）を前記液体中に押し下げるステップと、
ある体積の分離された液体が前記空間内に収集されるように、前記表面層からの液体を、前記オーバーフロー部（１１）から溢れさせて前記開口を通して前記空間（１０）に流すステップと、
前記空間（１０）内に収集された前記液体を排出導管（４）を経て前記空間から排出し、かつ前記空間（１０）内の、前記浸漬部材（１６）の最も低い点よりも上に位置する、前記液体から前記浸漬部材（１６）に作用する前記液体の圧力による持ち上げ方向の力を前記浸漬部材（１６）および前記分離部材（９）に与えることによって、前記分離部材（９）を、前記浸漬部材（１６）が部分的にこの液体中に位置するような量の液体で前記空間（１０）が満たされたときに、前記オーバーフロー部（１１）が前記自由液面よりも上に位置する程度に持ち上げる、前記容器（６）を前記液体中の所望の高さに維持するステップとを有する、液体の表面層を分離する方法。
【発明の詳細な説明】
【０００１】
発明の背景および従来技術
本発明は、液体中に浸漬されるようになっている容器を含んでおり、底部と、容器が液体中に浸漬されたときに実質的に垂直に延びる中心軸を有し、下側の端部で底部に連結されており、中心軸に沿って長さが可変である壁部材と、壁部材の上側の端部に連結され、容器に形成された空間に連通する開口と、液体を自由液面を有する表面層から分離している間、この液面の少なくとも下方にこの液面に隣接して位置し、かつ表面層からの液体をオーバーフロー部から溢れさせて開口を通して、ある体積の分離された液体が収集される空間内に流し込むように構成されているオーバーフロー部とを有している分離部材とを有し、空間の、分離中に液体が満たされる部分から延び、液体を空間から排出するように構成された排出導管と、分離部材に連結され、容器の外側に位置する液体上に浮き、分離部材に対して壁部材を伸ばす方向に持ち上げ力をかけるように構成された浮き部材とをさらに含んでいる、液体の表面層を分離する装置に関する。
【０００２】
比較的重い液体から比較的軽い液体を分離する必要が多くの様々な場合にある。たとえば、産業で使用され、油のような比較的軽い不純物を浄化する必要のある、水、洗浄液、あるいは切削液などの種々の液体がこれに当てはまる。これらの場合、浄化すべき液体は、収集タンクなどの中に位置することが最も多い。したがって、比較的軽い油不純物は、比較的重い液体の表面上に広い範囲にわたって浮かぶ。このような油不純物が収集タンク内に収集されることを許せば、含まれている液体の侵食、バクテリアの集合および成長、およびかびの形成による健康上の問題を引き起こす。さらに、浄化されない切削液は再利用できないので、環境および経済の両面で問題になる。このような必要が生じる他の分野としては、海または湖における、排出された油および表面上に浮く同様の不純物の除去と、トランス油で汚染された水の浄化とがあり得る。
【０００３】
米国特許第３６３３７４９号明細書は、表面層を分離する、冒頭に定義したような装置を開示している。この公知の装置の壁部材は、下側の外側シリンダと、下側のシリンダ内で部分的に変位可能な上側の内側シリンダとを有している。２つのシリンダは、この変位を可能にする密閉された可撓性の膜によって互いに連結されている。米国特許第３６３３７４９号明細書によれば、膜に対する外側からの圧力と内側からの圧力との圧力差を利用して内側シリンダに持ち上げ力がかけられる。
【０００４】
国際特許出願第９７／３０８２１号明細書は、容器の空間内に配置され容器内の液体上に浮く浮体を含む、表面層を分離する他の装置を開示している。容器内の液位が上昇すると、浮体は、容器の蛇腹状の壁を伸ばし、容器内への液体の流れを堰き止める。米国特許第５６９３２１８号明細書は、容器内の液体上に浮いている浮体によって表面層を分離する同様の装置を開示している。
【０００５】
これらの種類の分離装置は、要求される条件がそれぞれ異なる様々な分野で頻繁に使用されている。多くの場合、分離装置は、直径の小さい既存の穴を通して比較的軽い不純物から浄化すべき液体用のタンクまたはトレイに浸漬できる必要がある。したがって、タンクの深さおよびタンク内の自由液面の位置は広い範囲内で変動する。このため、このような分離装置は、小さい外径を有し、かつ壁部材を備え、この壁部材の中心軸に沿った長さが、多くの場合、最小の長さが最大の長さの数分の一だけになるように大幅に変化することが望ましい。
【０００６】
浮き部材が主として容器の外側の液体上に浮くように構成されているか、それとも容器の内側の液体上に浮くように構成されているかとは無関係に、浮き部材は、壁部材の長さが最大であり、壁部材から分離部材への下向きの浸漬力が最大になったときに、オーバーフロー部が自由液面よりも上に位置し、したがって、液体が表面層から容器の空間内へ流れるのを遮るように必要に応じて分離部材を持ち上げるのに十分であるような大きな力によって、分離部材を持ち上げ、かつ壁部材を伸ばすことができるような寸法を有する必要がある。同時に、分離装置は、空間内の液位が一定の液位よりも低くなったときにオーバーフロー部が自由液面よりも上に位置するほど持ち上げられないように構成されている必要がある。
発明の概要
本発明の目的は、液体の表面層の安定した確実な分離と収集を可能にし、複数の分野で使用することのできる装置を提供することである。さらに、本発明の目的は、空間内に収集された液体が、例えば汲出しによって排出されることによる流れに自動的に適応する分離を行うことである。
【０００７】
この目的は、空間内に設けられ、分離部材に連結され、オーバーフロー部から下に一定の垂直距離だけ離れて位置する浸漬部材をさらに有しており、浸漬部材は、一定の質量を有し、分離部材を、オーバーフロー部が自由液面よりも下に位置するようになる程度に、浮き部材からの持ち上げ力の作用に対抗して容器を取り囲む液体内に押し下げることができるようなオーダーの力である下向きの力を分離部材にかけるように構成されており、さらに浸漬部材は、浸漬部材と分離部材が、空間が浸漬部材の一部が液体中に位置するような量の液体で満たされたときに浸漬部材の最も低い点よりも上に位置する液体から浸漬部材に作用する液体の圧力による持ち上げ方向の力の影響を受けるように構成されていることを特徴とする、冒頭で定義した装置によって達成される。このように、オーバーフロー部は、浸漬部材のこの部分が空間内の液体中に位置するときに自由液面よりも上に位置する。
【０００８】
浸漬部材を有する装置をこのように構成することにより、分離部材に強力に作用し、浸漬部材が部分的に液体中に位置する程に多くの液体で容器内の空間が満たされると直ぐに顕著に弱くなる下向きの浸漬力が装置に与えられる。これにより、この装置は、液体の表面層を非常に安定した確実な方法で分離し収集する。このようにして、本発明により、様々な種類の液体および様々な程度の汚染を有する液体に使用できる一般的な装置が得られる。さらに、この装置は、表面層を分離する必要のある液体用の様々な種類のタンクに使用することができる。浸漬部材により、この装置は、このようなタンク内の様々な液位に自動的に適合することができる。
【０００９】
本発明の一態様によれば、排出導管は、底部に連結され、底部の近くに液体排出用の入口を有している。容器は、液体が存在するタンク内に設けられるようになっており、底部および／または排出導管は、一定の深さでタンクに連結されていてもよい。このようにして、底部および／または排出導管が、装置の使用時にタンクに対して所定の静止位置をとれるようにすることが可能である。
【００１０】
本発明の他の態様によれば、浸漬部材は、下から中心軸に沿って大きくなる半径方向断面積を有している。このようにして、容器の空間内の液体から浸漬部材に作用する持ち上げ力は、液位が浸漬部材の最も低い点よりも上に連続的に上昇するにつれて増大する。
【００１１】
本発明の他の態様によれば、浸漬部材は実質的に一定の質量を有している。このような浸漬部材は信頼できる機能を有する。質量は、容器が空のときにオーバーフロー部が自由液面よりも下に位置する程の大きな下向きの力を、浸漬部材が分離部材にかけるようなオーダーの質量である。
【００１２】
本発明の他の態様によれば、浸漬部材は、上向きに開口しており、液体の一部を受け入れるように構成された第１のポケットを含んでいる。そのポケットを素早く満たせるように、容器は、液体の前記部分が第１のポケットに流入できるようにする通路を含んでいてもよい。
【００１３】
本発明の他の態様によれば、分離部材は、上記部材によって形成され、中心軸の周りを延びている。このようにして、装置は容易に製造することが可能である。したがって、上記部材は第１のポケットを形成するために曲がった形状になっていてもよく、通路は、上記部材を通る少なくとも１つの穴を含んでいてもよい。
【００１４】
本発明の他の態様によれば、浮き部材は実質的に一定の質量を有する浮体を含んでいる。浮き部材は、下向きに開口し、容器が液体中に浸漬されたときに気体用の密閉された空間を形成するように構成された第２のポケットを含んでいてもよい。したがって、上記部材は第２のポケットを形成するために形状になっていてもよい。
【００１５】
本発明の他の態様によれば、浸漬部材は、中心軸に対して少なくとも部分的に浮き部材よりも軸方向下側に設けられている。さらに、浸漬部材は、中心軸に対して少なくとも部分的に浮き部材の半径方向内側に設けられていてもよい。
【００１６】
本発明の他の態様によれば、容器は、中心軸に対して外側に延びるフランジ状の部材を含んでおり、フランジ状の部材の内側の部分が浸漬部材の下側部分に連結され、壁部材はフランジ状の部材の外側の部分に連結されている。浮き部材は、フランジ状の部材のほぼ真上に位置していてもよい。
【００１７】
これにより、空間内にフランジ状の部材よりも上に位置する液体は、フランジ状の部材にも作用し、それにより、持ち上げ力が分離部材にも作用する。したがって、浸漬部材の浸漬力は、浸漬部材が空間内の液位よりも下に位置するほど多くの液体で容器内の空間が満たされると直ぐに比較的顕著に弱くなる。
【００１８】
本発明の目的は、独立請求項１６に定義された方法によっても達成される。
【００１９】
次に、一例として説明する実施形態により、添付の図面を参照しながら、本発明について詳しく説明する。
発明の様々な実施形態の詳細な説明
図１は、液体を受け入れて収納するように構成されたタンク空間２を形成するタンク１を示している。タンク１は、たとえば、旋盤、フライス盤、または任意の多作業機械などの任意の工作機械から切削液を受け入れるように構成されていてもよい。使用済みの切削液は、切削液よりも密度が低く、したがって、タンク空間２内の液体の表面層に収集される不要な物質、たとえば油を含む。したがって、切削液を再利用できるようにこの表面層を分離することが望ましい。図１は、タンク空間２の液体の表面層を分離するこのような装置３を示している。分離された表面層は、排出導管４を介して、表面層の様々な成分を分離できるように表面層をさらに処理することができる遠心分離機５に搬送される。
【００２０】
分離装置３は、タンク１内の液体中に浸漬された容器６を含んでいる。容器６は、タンク１の底部に当接するかまたは連結されている底板７の形の底部を含んでいる。さらに、容器６は、容器６が液体中に浸漬されたときにほぼ垂直に延びる中心軸ｘを有する壁部材８を含んでいる。円筒を形成している壁部材８は、壁部材８の下方の端部で壁部材８の周囲全体にわたって底板７に連結されている。さらに、壁部材８は、中心軸ｘの方向に長さが可変であり、開示された例では蛇腹のように構成されている。壁部材８を他の方法で構成してもよく、たとえば、伸縮自在の壁部材として構成してもよいことに留意されたい。さらに、容器６は、壁部材８の上方の端部に円筒状の壁部材８の周囲全体にわたって連結された環状の分離部材９を含んでいる。したがって、容器６は内側の空間１０を形成し、円筒状の分離部材９は、容器６の内側の空間１０用の開口でもある開口を形成している。分離部材９はオーバーフロー部１１を有しており、自由液面を有する表面層からの液体は、オーバーフロー部１１から溢れて表面層から開口を通って内側の空間１０内に流れ込む。このようにして、表面層からのある体積の分離された液体が内側の空間１０内に収集される。
【００２１】
さらに、分離装置３は、上述の排出導管４を含んでおり、この排出導管４を介して、分離された液体を、開示されていないポンプ部材によって内側の空間１０から遠心分離機５に汲み出すことが可能である。排出導管４は、底板７の近くに位置する入口１２を有している。開示した例では、排出導管４は底板７に連結され固定されている。したがって、分離部材９は、壁部材８の長さが可変であることによって、底板７に対して上向きおよび下向きに変位することができる。したがって、分離部材９は排出導管４に対して変位し、また、分離部材９は、排出導管４の、容器６に導入される部分４’上に滑り可能に設けられており、スポーク１４を介して分離部材９に完全に連結されている案内リング１３を含んでいる。したがって、底板７と排出導管４は、タンク１に対して固定されている。しかしながら、排出導管４はタンク１に対して固定されていると常に考えてよく、分離部材９だけでなく底板７も排出導管４に対して垂直方向に移動させることができる。
【００２２】
分離部材３は、浮き部材１５と浸漬部材１６も含んでいる。浮き部材１５は、容器６の外側に存在する液体上に浮き、分離部材９に持ち上げ力をかけるように構成されており、すなわち、浮き部材１５は壁部材８を伸ばそうとする。浸漬部材１６は、一定の質量を有しており、分離部材９に下向きの力をかけるように構成されている。この下向きの力は、浮き部材１５からの持ち上げ力の作用に対抗して、容器６を取り囲む液体中に分離部材９を押し下げることができるようなオーダーの力である。より詳しくは、浸漬部材１６の質量は、浸漬部材１６が、オーバーフロー部１１が自由液面よりも下に位置するほど下方に分離部材９を押し下げることができるようなオーダーの力である。それにより、表面層からの液体は、この空間１０が分離された液体で満たされるように容器６の内側の空間１０内に流れ込む。内側の空間１０内の液位が浸漬部材１６に達すると、浸漬部材１６に作用する、内側の空間１０内の液体からの液体圧力によって、分離部材９に持ち上げ方向に力がかけられる。浸漬部材１６は、この持ち上げ力が、浸漬部材１６の全体がその液位よりも下に位置する前にオーバーフロー部１１が自由液面よりも上に位置するようなオーダーの力になるような寸法になっている。したがって、浸漬部材１６は、容器７が空であるか、または少量の分離された液体しか含んでいないときに、オーバーフロー部１１を下向きに自由液面よりも下に変位させると共に、浸漬部材１６が浮き部材１５の垂直高さの近くの垂直高さに位置しているために、容器７が分離された液体でほぼ満たされたときに、オーバーフロー部１１を上向きに自由液面よりも上に変位させるように働く。
【００２３】
図１に開示した実施形態では、分離部材９、浮き部材１５、および浸漬部材１６は、たとえば圧縮成形や押出成形による、金属、プラスチック、ゴム、または他の任意の適切な材料からなる曲がった形状の、すなわち成形された比較的薄い部材１７で構成されている。部材１７は、上向きに開口した第１のポケット１８と、下向きに開口した第２のポケット１９とを形成するように構成されている。第１のポケット１８は浸漬部材１６を形成し、第２のポケット１９は浮き部材１５を形成している。第１のポケット１８、すなわち浸漬部材１６は、第１の実施形態では、第２のポケット１９、すなわち浮き部材１５の半径方向内側に位置している。さらに、第１の実施形態では、第１のポケット１８、すなわち浸漬部材１６は、第２のポケット１９、すなわち浮き部材１５よりもいくらか下に位置している。したがって、容器６が水中に浸漬されると、下向きに開口している第２のポケット１９は、浮き部材１５の浮体として機能するガスクッションを密閉する。浸漬部材１６に十分な質量を与えるために穴２０の形の１つまたはいくつかの通路が設けられており、これらの通路は、容器６を取り囲む液体が穴２０を通って第１のポケット１８に流れ込み、第１のポケット１８が液体で満たされるように働くことができるように、部材１７を通って延びている。それにより、浸漬部材１６の質量が大きくなり、浸漬部材１６は、上述の下向きの力を分離部材にかけることができる。図１に開示した実施形態では、表面層からの液体はオーバーフロー部１１を越えて第１のポケット１８内に流れ込む。第１のポケット１８が満たされると、第１のポケット１８内の液体は部材１７の端縁部１７ａを越えて内側の空間１０内に流れ落ちる。端縁部１７ａは、オーバーフロー部１１よりも垂直方向下側に位置している。
【００２４】
図２に示した第２の実施形態は、第１のポケット１８、すなわち浸漬部材１６が、第１のポケット１９、すなわち浮き部材１５のほぼ真下に設けられていることだけが、第１の実施形態と異なっている。実質的に同じ機能を有する部材は、開示した全ての実施形態において同じ参照符号が付されていることに留意されたい。図２〜５に開示した実施形態では、これらの図では遠心分離機５または他の任意の浄化装置が省略されている。
【００２５】
図３に示した第３の実施形態は、一定の質量を有する浸漬部材１６を含んでいる。この場合、浸漬部材１６は、たとえば金属やプラスチックなどの固体材料で製造されていてもよい。
【００２６】
図４に示した第４の実施形態では、浮き部材１５は、むしろ、例えば多孔性のプラスチック等の任意の軽量材料で製造されていてもよい中実の浮体のように構成されている。
【００２７】
第３および第４の実施形態では、浸漬部材１６は、中心軸ｘに沿って下から徐々に大きくなる半径方向断面積をさらに有している。それにより、浸漬部材１６に作用する、容器の空間内の液体からの持ち上げ力は、液位が浸漬部材１６の最も低い点から連続的に上昇するにつれて大きくなる。
【００２８】
図５に示した第５の実施形態では、フランジ状の環状部材２が部材１７の下側部分に連結されている。フランジ状の部材２２は、中心軸ｘに対してほぼ半径方向外側に延びており、部材１７はフランジ状の部材２２の内側の部分に連結され、壁部材８はフランジ状の部材２２の半径方向外側の部分に連結されている。浮き部材１５は、フランジ状の部材２２のほぼ真上に位置している。
【００２９】
第３、第４、および第５の実施形態において、案内リング１３およびスポーク１４は、これらの要素は分離装置３の機能には必要でないことを示すために省略されている。
【００３０】
オーバーフロー部１１は、図１〜３および図５のように丸められた縁部のようい構成してもよいし、図４のように比較的鋭い縁部のように構成してもよい。オーバーフロー部１１は、ほぼ半径方向内側に内側の空間１０へ開口の方へ延び、したがって、表面層からの液体用の流路を形成するスロット（不図示）を含んでいてもよい。
【００３１】
このことは、空間１０への流入を安定に規制することができ、空間内の液位をほぼ一定のレベルに維持できることを意味する。
【００３２】
伸長可能な蛇腹状の壁要素８は、底板７および浸漬部材１６に接着されていてもよいし、溶着されていてもよい。あるいは、壁要素８は、場合によっては縁部またはフランジを覆って底板７と浸漬部材１６のそれぞれの外側に嵌め込まれてもよい。
【００３３】
本発明は、開示された実施形態に限られず、特許請求の範囲の範囲内で変形し、改良することが可能である。
【００３４】
たとえば、本発明は、使用済みの切削液の表面層を分離することに限られず、任意の液体の表面層を分離するのに用いることができる。容器６を浸漬すべき液体はタンク内に取り囲まれている必要はなく、本発明はたとえば、海または湖に浮かぶ廃油を含む表面層を分離することに用いることが可能である。
【００３５】
浸漬部材１６は交換可能な大きくない錘を第１のポケット１６に受け入れることが可能な構成であるので、この装置は、たとえば液体の密度に関する、様々な条件に適合することもできる。このような錘は、たとえば、リングの形であってもよい。
【図面の簡単な説明】
【図１】  本発明の第１の実施形態による液体の表面層を分離する装置の断面図である。
【図２】  本発明の第２の実施形態による装置の断面図である。
【図３】  本発明の第３の実施形態による装置の断面図である。
【図４】  本発明の第４の実施形態による装置の断面図である。
【図５】  本発明の第５の実施形態による装置の断面図である。
【図１】
0004786109.tif 000002
【図２】
0004786109.tif 000003
【図３】
0004786109.tif 000004
【図４】
0004786109.tif 000005
【図５】
0004786109.tif 000006